(57)【要約】【課題】階層変調されているプログラムを記録した媒体を再生する場合に、再生機器ごとに異なる方法でプログラムを提示してしまう。【解決手段】デジタル放送受信機における信号出力システムは、入力信号同期手段と、入力信号から所望の情報を抽出する情報抽出手段と、抽出した情報と入力信号同期手段で検出した同期状態により、出力信号を決定する出力信号決定手段と、出力信号決定手段により決定された情報を作成する情報作成手段と、出力信号決定手段により決定された出力信号と情報作成手段により作成された情報を出力する信号出力手段とを有する。【選択図】図１
2006041976.tif 000002
【特許請求の範囲】
【請求項１】
入力信号同期手段と、入力信号から所望の情報を抽出する情報抽出手段と、抽出した情報と入力信号同期手段で検出した同期状態により、出力信号を決定する出力信号決定手段と、出力信号決定手段により決定された情報を作成する情報作成手段と、出力信号決定手段により決定された出力信号と情報作成手段により作成された情報を出力する信号出力手段と、を有することを特徴とするデジタル放送受信機における信号出力システム。
【請求項２】
入力信号同期方法と、入力信号から所望の情報を抽出する情報抽出方法と、抽出した情報と入力信号同期方法で検出した同期状態により、出力信号を決定する出力信号決定方法と、出力信号決定方法により決定された情報を作成する情報作成方法と、出力信号決定方法により決定された出力信号を出力する信号出力方法と、を有することを特徴とするデジタル放送受信機における信号出力方法。
【請求項３】
入力信号同期ステップと、入力信号から所望の情報を抽出する情報抽出ステップと、抽出した情報と入力信号同期ステップで検出した同期状態により、出力信号を決定する出力信号決定ステップと、出力信号決定ステップにより決定された情報を作成する情報作成ステップと、出力信号決定ステップにより決定された出力信号を出力する信号出力ステップと、を有することを特徴とするデジタル放送受信機における信号出力プログラム記録媒体。
【発明の詳細な説明】
【技術分野】
【０００１】
本発明は、デジタル放送受信機における信号出力システム、出力方法、およびプログラム記録媒体に関するものである。所謂ＢＳデジタル放送において階層変調されているプログラム受信中に、Ｄ−ＶＨＳのような所謂デジタル記録媒体に向けて出力する際の技術である。
【背景技術】
【０００２】
所謂ＢＳデジタル放送受信機においてプログラムを記録する場合、通常受信トランスポートストリーム（ＴＳ）から所望のサービスだけが配置されているパーシャルトランスポートストリーム（ＰＴＳ）を作成し、このＰＴＳを記録する。この際通常はプログラムに関する情報を持つテーブル（ＰＭＴ）は、記録しないＥＳに関する記述を取り除いただけのものを記録する。所謂ＢＳデジタル放送ではプログラムを構成するエレメンタリーストリーム（ＥＳ）を伝送劣化への耐性、あるいは情報品質の差異化などのために、大容量伝送が可能な伝送方式と、低Ｃ／Ｎにおいても受信可能な伝送方式を併用して伝送（階層変調）する場合がある。このような階層変調されたプログラムを記録する場合は、視聴中の階層について上記記録方法により記録する手段が取られる。もしくは、受信中のＴＳを全て記録した後、再生時に選択する手段がとられる（例えば、特許文献１参照）。
【０００３】
これらの方法で記録されたＰＴＳを再生するためには、放送受信時と同様のＰＭＴに記載の階層伝送記述子の解釈や、記録されたＥＳの状態を検出する必要がある。これは再生時にも受信時と同様の処理を行うといった無駄な処理ステップの増加が発生するだけでなく、ＰＭＴに記載の階層伝送記述子とＥＳの関係や、記録されたＰＴＳの状態を検出方法が機種ごとに異なれば、記録媒体が同じであるにもかかわらず、ユーザには異なる方法でプログラムを提示してしまうことになる。具体的には、所謂ＢＳデジタル放送で規定されているデフォルトコンポーネントタグを持つＥＳの記述がない場合や、ＰＴＳをデコードするデコーダのエラーパケット検出能力、およびＰＴＳ中の不連続点を示すＤＩＴの挿入能力および検出能力によるプログラム提示方法の変化が挙げられる。
【特許文献１】特開２００１−１０３４０５号公報
【発明の開示】
【発明が解決しようとする課題】
【０００４】
解決しようとする問題点は、階層変調されているプログラムを記録した媒体を再生する場合に、再生機器ごとに異なる方法でプログラムを提示してしまう点である。
【課題を解決するための手段】
【０００５】
本発明は、入力信号同期手段と、入力信号から所望の情報を抽出する情報抽出手段と、抽出した情報と入力信号同期手段で検出した同期状態により、出力信号を決定する出力信号決定手段と、出力信号決定手段により決定された出力信号を出力する信号出力手段と、を有することを特徴とする。またシステム内に情報作成部を有し、これにより低階層用ＰＭＴの作成を行う点を最も特徴とする。
【発明の効果】
【０００６】
本発明のデジタル放送受信機における信号出力システム、出力方法、およびプログラム記録媒体は、階層変調されたプログラムをデジタル記録媒体へ出力する際に、ＰＭＴ内の記述において、高階層ＥＳのパケットＩＤ（ＰＩＤ）を互いに参照関係にあるＰＭＴの階層伝送記述子の低階層ＥＳのＰＩＤに書き換えて記録することで、通常のＰＴＳ再生手順で再生を可能とするという利点がある。
【発明を実施するための最良の形態】
【０００７】
以下、本発明の実施の形態について用いて説明する。なお、本発明はこの実施の形態に何ら限定されるものではなく、用事を逸脱しない範囲においては種種なる態様で実施し得る。
【０００８】
（実施の形態１）
図１は、本発明の第１の実施の形態における信号出力システムの一例を示したブロック図である。１０は機器全体を示し、１１の入力信号同期部、１２の情報抽出部、１３の出力信号決定部、１４の情報作成部、１５の信号出力部を備える。
【０００９】
図２には一般的な信号出力システムの一例を示す。本発明のポイントは情報作成部を有し、低階層用ＰＭＴの作成を行う点である。
【００１０】
図３は、本発明の第１の実施の形態において、出力信号を決定するまでのフローチャートである。
【００１１】
まず、ステップ３０で１１の入力信号同期部に信号が入力される。ステップ３１において入力信号同期部で同期が確立しなければ、信号出力は不可能なので終了する。同期が確立すれば、次に同期状態を入力信号同期部にて検出し、ステップ３２において高階層受信をすべきか低階層受信をすべきかを出力信号決定部にて判断する。具体的には計測されたＣ／Ｎ比を判断値とし、この値がある閾値以上であれば高階層、閾値より下であれば低階層と判断する方法がある。また、ビデオデコーダにおけるデコードエラー率を判断値とする方法もある。さらに、視聴時と録画時に使用するデコーダは異なる場合があるため、視聴階層と録画階層を別（視聴階層は高階層で録画階層は低階層等）にする場合もある。
【００１２】
高階層受信と判断すれば、ステップ３３において出力信号決定部がＰＭＴを元に高階層信号を信号出力部へ指定する。これにより高階層ＰＴＳが記録機器に向けて出力される。低階層受信と判断すれば、出力信号決定部は、ステップ３４においてＴＳ内からＰＭＴを抽出し、ステップ３５においてＰＭＴ内の階層伝送記述子の有無を調査する。階層伝送記述子がなければ、低階層ＥＳがないため、ステップ３３に移り、高階層受信に切り替える。階層伝送記述子があれば、出力信号決定部はステップ３６において情報作成部に低階層用ＰＭＴの作成を指示する。情報作成部はＰＭＴを作成した後、ステップ３７において信号出力部へＴＳ内のＰＭＴと作成したＰＭＴの置き換えを指示する。さらにステップ３８において出力信号決定部は作成されたＰＭＴを基に信号出力部へ低階層信号を指定する。これにより低階層ＰＴＳが記録機器に向けて出力される。
【００１３】
図４は、本発明の第１の実施の形態において、情報作成部により低階層用のＰＭＴが作成されるまでのフローチャートである。まず、ステップ４０においてＰＭＴ内の階層伝送記述子を参照し、高階層ＥＳのＰＩＤ（参照元）と関係する低階層ＥＳのＰＩＤ（参照先）を走査する。あれば、ステップ４１において参照元のＰＩＤを参照先のＰＩＤで上書きする。次に、ステップ４２において階層伝送記述子を削除する。こうして作成されたＰＭＴはデフォルトコンポーネントタグを有し、さらに各コンポーネントタグが参照するＰＩＤは受信時の同期状態に即したＰＩＤになっているため、規格に準じた機器なら通常のＰＴＳ再生手順によりユーザに同じ方法でプログラムを提示することが可能となる。
【００１４】
（実施の形態２）
図５は本発明の第２の実施の形態におけるフローチャートである。第１の実施の形態では階層を判断した後、当該階層のＥＳのみの出力を出力信号決定部に指示していたが、第２の実施の形態では、ＥＳの出力選択は行わず、低階層用ＰＭＴの作成と差し替えのみを行う。規格に準じた機器ならＰＭＴをみて再生ＥＳを判断するため、第２の実施の形態においても、通常のＰＴＳ再生手順によりユーザに同じ方法でプログラムを提示することが可能となる。
【産業上の利用可能性】
【００１５】
本発明のデジタル放送受信機における信号出力システム、出力方法、およびプログラム記録媒体は、階層変調されたプログラムをデジタル記録媒体へ出力する際に、ＰＭＴ内の記述において、高階層ＥＳのパケットＩＤ（ＰＩＤ）を互いに参照関係にあるＰＭＴの階層伝送記述子の低階層ＥＳのＰＩＤに書き換えて記録することで、通常のＰＴＳ再生手順で再生を可能とするという利点を有し、所謂ＢＳデジタル放送において階層変調されているプログラム受信中に、Ｄ−ＶＨＳのような所謂デジタル記録媒体に向けて出力する際の技術として有用である。
【図面の簡単な説明】
【００１６】
【図１】本発明の第１の実施の形態による信号出力システムの構成を示すブロック図
【図２】一般的な信号出力システムの構成の一例を示すブロック図
【図３】本発明の第１の実施の形態において、信号を出力するまでのフローチャート
【図４】本発明の第１の実施の形態において、低階層用のＰＭＴを作成するまでのフローチャート
【図５】本発明の第２の実施の形態において、信号を出力するまでのフローチャート
【符号の説明】
【００１７】
１０、２０    機器全体
１１、２１    入力信号同期部
１２、２２    情報抽出部
１３、２３    出力信号決定部
１４    情報作成部
１５、２４    信号出力部
【図１】
2006041976.tif 000003
【図２】
2006041976.tif 000004
【図３】
2006041976.tif 000005
【図４】
2006041976.tif 000006
【図５】
2006041976.tif 000007